(57)【要約】【課題】地域毎の時間帯に対応するように表示時刻が変更された場合であっても、電子時計１の発電値をユーザが把握しやすい態様で表示する。【解決手段】表示部３２は、表示時刻が地域毎の時間帯に対応するように変更されることにより、同じ期間の表示時刻を示す情報と関連付けて複数の発電値が端末記憶部３４に記憶されている場合、同じ期間の表示時刻の前後の表示時刻を示す情報と関連付けられる発電値を示す画像を表示画面に表示すると共に、同じ期間の前記表示時刻を示す情報と関連付けられる発電値であって、表示時刻が地域毎の時間帯に対応するように変更される前後に端末記憶部３４に記憶された発電値を示す画像のうち、少なくともいずれか一を表示画面に表示する、携帯端末３０。【選択図】図１１
2019144064.tif 000002
【特許請求の範囲】
【請求項１】
表示時刻を地域毎の時間帯に対応するように変更する機能を備えた電子時計の状態に関する状態値を、該状態値が検出された際の前記表示時刻を示す情報と関連付けて記憶する記憶部と、
時間軸に沿って一方向に時間が進むように目盛り時刻を表示画面に表示すると共に、前記状態値が検出された際の前記表示時刻に対応する前記目盛り時刻に対応させて前記状態値を示す画像を前記表示画面に表示する表示部と、
を含み、
前記表示部は、
前記表示時刻が前記地域毎の時間帯に対応するように変更されることにより、同じ期間の前記表示時刻を示す情報と関連付けて複数の前記状態値が前記記憶部に記憶されている場合、
前記同じ期間の前記表示時刻の前後の表示時刻を示す情報と関連付けられる前記状態値を示す画像のそれぞれ少なくとも一部を前記表示画面に表示すると共に、
前記同じ期間の前記表示時刻を示す情報と関連付けられる前記状態値であって、前記表示時刻が前記地域毎の時間帯に対応するように変更される前後に前記記憶部に記憶された前記状態値を示す画像のうち、少なくともいずれか一を前記表示画面に表示する、
表示装置。
【請求項２】
前記表示部は、
前記同じ期間の前記表示時刻を示す情報と関連付けられる前記状態値であって、前記表示時刻が前記地域毎の時間帯に対応するように変更される前後に前記記憶部に記憶された前記状態値の画像を区別可能な態様でそれぞれ前記表示画面に表示する、
請求項１に記載の表示装置。
【請求項３】
前記表示部は、
前記同じ期間の前記表示時刻を示す情報と関連付けられる前記状態値であって、前記表示時刻が前記地域毎の時間帯に対応するように変更される前後に前記記憶部に記憶された前記状態値を示す画像のうち、最も大きい前記状態値を示す画像のみを前記表示画面に表示する、
請求項１に記載の表示装置。
【請求項４】
前記表示部は、
前記同じ期間の前記表示時刻の前後の表示時刻を示す情報と関連付けられる前記状態値を示す画像と、前記最も大きい前記状態値を示す画像と、を結んだ線グラフを前記表示画面に表示する、
請求項３に記載の表示装置。
【請求項５】
前記表示部は、
前記同じ期間の前記表示時刻を示す情報と関連付けられる前記状態値であって、前記表示時刻が前記地域毎の時間帯に対応するように変更される前後に前記記憶部に記憶された前記状態値を示す画像のうち、最も小さい前記状態値を示す画像のみを前記表示画面に表示する、
請求項１に記載の表示装置。
【請求項６】
前記表示部は、
前記同じ期間の前記表示時刻を示す情報と関連付けられる前記状態値であって、前記表示時刻が前記地域毎の時間帯に対応するように変更される前後に前記記憶部に記憶された前記状態値の平均値を示す画像を前記表示画面に表示する、
請求項１に記載の表示装置。
【請求項７】
前記電子時計から無線通信により前記状態値を受信する通信部を含み、
前記記憶部は、前記通信部により受信した前記状態値を記憶する端末記憶部である、
請求項１〜６のいずれか１項に記載の表示装置。
【請求項８】
前記端末記憶部は、前記同じ期間の前記表示時刻を示す情報と関連付けて複数の前記状態値を記憶する、
請求項７に記載の表示装置。
【請求項９】
前記電子時計は、
外光を受光することにより発電する発電部と、
前記発電部における発電量に関する発電値を前記状態値として検出する検出部と、
を含む、
請求項１〜８のいずれか１項に記載の表示装置。
【請求項１０】
前記電子時計は、
前記検出部が検出した前記状態値が順次書き込まれ、記憶される揮発性メモリと、前記揮発性メモリに記憶される前記状態値が書き込まれ、記憶される不揮発性メモリと、を含む時計記憶部を有する、
請求項９に記載の表示装置。
【請求項１１】
表示時刻を地域毎の時間帯に対応するように変更する機能を備えた電子時計の状態に関する状態値を、該状態値が検出された際の前記表示時刻を示す情報と関連付けて記憶する工程と、
時間軸に沿って一方向に時間が進むように目盛り時刻を表示画面に表示すると共に、前記状態値が検出された際の前記表示時刻に対応する前記目盛り時刻に対応させて前記状態値を示す画像を前記表示画面に表示する工程と、
を含み、
前記表示画面に表示する工程において、
前記表示時刻が前記地域毎の時間帯に対応するように変更されることにより、同じ期間の前記表示時刻を示す情報と関連付けて複数の前記状態値が記憶されている場合、
前記同じ期間の前記表示時刻の前後の表示時刻を示す情報と関連付けられる前記状態値を示す画像のそれぞれ少なくとも一部を前記表示画面に表示すると共に、
前記同じ期間の前記表示時刻を示す情報と関連付けられる前記状態値であって、前記表示時刻が前記地域毎の時間帯に対応するように変更される前後に記憶された前記状態値を示す画像のうち、少なくともいずれか一を前記表示画面に表示する、
表示方法。
【請求項１２】
表示時刻を地域毎の時間帯に対応するように変更する機能を備えた電子時計の状態に関する状態値を、該状態値が検出された際の前記表示時刻を示す情報と関連付けて記憶する記憶部、
時間軸に沿って一方向に時間が進むように目盛り時刻を表示画面に表示すると共に、前記状態値が検出された際の前記表示時刻に対応する前記目盛り時刻に対応させて前記状態値を示す画像を前記表示画面に表示する表示部、
としてコンピュータを機能させるためのプログラムであって、
前記表示部は、
前記表示時刻が前記地域毎の時間帯に対応するように変更されることにより、同じ期間の前記表示時刻を示す情報と関連付けて複数の前記状態値が前記記憶部に記憶されている場合、
前記同じ期間の前記表示時刻の前後の表示時刻を示す情報と関連付けられる前記状態値を示す画像のそれぞれ少なくとも一部を前記表示画面に表示すると共に、
前記同じ期間の前記表示時刻を示す情報と関連付けられる前記状態値であって、前記表示時刻が前記地域毎の時間帯に対応するように変更される前後に前記記憶部に記憶された前記状態値を示す画像のうち、少なくともいずれか一を前記表示画面に表示する、
プログラム。
【発明の詳細な説明】
【技術分野】
【０００１】
本発明は、表示装置、表示方法、及びプログラムに関する。
【背景技術】
【０００２】
特許文献１には、測定した気圧に関する情報に基づく値を時間軸に沿ってグラフ表示部に表示する電子時計が開示されている。
【先行技術文献】
【特許文献】
【０００３】
【特許文献１】特開平５−１４１９９２号公報
【発明の概要】
【発明が解決しようとする課題】
【０００４】
ここで、タイムゾーン（地域毎の時間帯）に対応するように表示時刻を変更する機能を備えた電子時計が知られており、そのような電子時計においては、重複する表示時刻を計時する場合がある。上記特許文献１においては、重複して計時された表示時刻に測定された値をどのようにグラフ表示部に表示するかについての記載はない。
【０００５】
本発明はかかる事情に鑑みてなされたものであり、その目的は、地域毎の時間帯に対応するように表示時刻が変更された場合であっても、電子時計の状態に関する状態値をユーザが把握しやすい態様で表示することにある。
【課題を解決するための手段】
【０００６】
上記課題を解決すべく本出願において開示される発明は種々の側面を有しており、それら側面の代表的なものの概要は以下のとおりである。
【０００７】
（１）表示時刻を地域毎の時間帯に対応するように変更する機能を備えた電子時計の状態に関する状態値を、該状態値が検出された際の前記表示時刻を示す情報と関連付けて記憶する記憶部と、時間軸に沿って一方向に時間が進むように目盛り時刻を表示画面に表示すると共に、前記状態値が検出された際の前記表示時刻に対応する前記目盛り時刻に対応させて前記状態値を示す画像を前記表示画面に表示する表示部と、を含み、前記表示部は、前記表示時刻が前記地域毎の時間帯に対応するように変更されることにより、同じ期間の前記表示時刻を示す情報と関連付けて複数の前記状態値が前記記憶部に記憶されている場合、前記同じ期間の前記表示時刻の前後の表示時刻を示す情報と関連付けられる前記状態値を示す画像のそれぞれ少なくとも一部を前記表示画面に表示すると共に、前記同じ期間の前記表示時刻を示す情報と関連付けられる前記状態値であって、前記表示時刻が前記地域毎の時間帯に対応するように変更される前後に前記記憶部に記憶された前記状態値を示す画像のうち、少なくともいずれか一を前記表示画面に表示する、表示装置。
【０００８】
（２）（１）において、前記表示部は、前記同じ期間の前記表示時刻を示す情報と関連付けられる前記状態値であって、前記表示時刻が前記地域毎の時間帯に対応するように変更される前後に前記記憶部に記憶された前記状態値の画像を区別可能な態様でそれぞれ前記表示画面に表示する、表示装置。
【０００９】
（３）（１）において、前記表示部は、前記同じ期間の前記表示時刻を示す情報と関連付けられる前記状態値であって、前記表示時刻が前記地域毎の時間帯に対応するように変更される前後に前記記憶部に記憶された前記状態値を示す画像のうち、最も大きい前記状態値を示す画像のみを前記表示画面に表示する、表示装置。
【００１０】
（４）（３）において、前記表示部は、前記同じ期間の前記表示時刻の前後の表示時刻を示す情報と関連付けられる前記状態値を示す画像と、前記最も大きい前記状態値を示す画像と、を結んだ線グラフを前記表示画面に表示する、表示装置。
【００１１】
（５）（１）において、前記表示部は、前記同じ期間の前記表示時刻を示す情報と関連付けられる前記状態値であって、前記表示時刻が前記地域毎の時間帯に対応するように変更される前後に前記記憶部に記憶された前記状態値を示す画像のうち、最も小さい前記状態値を示す画像のみを前記表示画面に表示する、表示装置。
【００１２】
（６）（１）において、前記表示部は、前記同じ期間の前記表示時刻を示す情報と関連付けられる前記状態値であって、前記表示時刻が前記地域毎の時間帯に対応するように変更される前後に前記記憶部に記憶された前記状態値の平均値を示す画像を前記表示画面に表示する、表示装置。
【００１３】
（７）（１）〜（６）のいずれかにおいて、前記電子時計から無線通信により前記状態値を受信する通信部を含み、前記記憶部は、前記通信部により受信した前記状態値を記憶する端末記憶部である、表示装置。
【００１４】
（８）（７）において、前記端末記憶部は、前記同じ期間の前記表示時刻を示す情報と関連付けて複数の前記状態値を記憶する、表示装置。
【００１５】
（９）（１）〜（８）のいずれかにおいて、前記電子時計は、外光を受光することにより発電する発電部と、前記発電部における発電量に関する発電値を前記状態値として検出する検出部と、を含む、表示装置。
【００１６】
（１０）（９）において、前記電子時計は、前記検出部が検出した前記状態値が順次書き込まれ、記憶される揮発性メモリと、前記揮発性メモリに記憶される前記状態値が書き込まれ、記憶される不揮発性メモリと、を含む時計記憶部を有する、表示装置。
【００１７】
（１１）表示時刻を地域毎の時間帯に対応するように変更する機能を備えた電子時計の状態に関する状態値を、該状態値が検出された際の前記表示時刻を示す情報と関連付けて記憶する工程と、時間軸に沿って一方向に時間が進むように目盛り時刻を表示画面に表示すると共に、前記状態値が検出された際の前記表示時刻に対応する前記目盛り時刻に対応させて前記状態値を示す画像を前記表示画面に表示する工程と、を含み、前記表示画面に表示する工程において、前記表示時刻が前記地域毎の時間帯に対応するように変更されることにより、同じ期間の前記表示時刻を示す情報と関連付けて複数の前記状態値が記憶されている場合、前記同じ期間の前記表示時刻の前後の表示時刻を示す情報と関連付けられる前記状態値を示す画像のそれぞれ少なくとも一部を前記表示画面に表示すると共に、前記同じ期間の前記表示時刻を示す情報と関連付けられる前記状態値であって、前記表示時刻が前記地域毎の時間帯に対応するように変更される前後に記憶された前記状態値を示す画像のうち、少なくともいずれか一を前記表示画面に表示する、表示方法。
【００１８】
（１２）表示時刻を地域毎の時間帯に対応するように変更する機能を備えた電子時計の状態に関する状態値を、該状態値が検出された際の前記表示時刻を示す情報と関連付けて記憶する記憶部、時間軸に沿って一方向に時間が進むように目盛り時刻を表示画面に表示すると共に、前記状態値が検出された際の前記表示時刻に対応する前記目盛り時刻に対応させて前記状態値を示す画像を前記表示画面に表示する表示部、としてコンピュータを機能させるためのプログラムであって、前記表示部は、前記表示時刻が前記地域毎の時間帯に対応するように変更されることにより、同じ期間の前記表示時刻を示す情報と関連付けて複数の前記状態値が前記記憶部に記憶されている場合、前記同じ期間の前記表示時刻の前後の表示時刻を示す情報と関連付けられる前記状態値を示す画像のそれぞれ少なくとも一部を前記表示画面に表示すると共に、前記同じ期間の前記表示時刻を示す情報と関連付けられる前記状態値であって、前記表示時刻が前記地域毎の時間帯に対応するように変更される前後に前記記憶部に記憶された前記状態値を示す画像のうち、少なくともいずれか一を前記表示画面に表示する、プログラム。
【発明の効果】
【００１９】
上記（１）、（２）、（５）〜（９）、（１１）、（１２）の側面によれば、地域毎の時間帯に対応するように表示時刻が変更された場合であっても、電子時計の状態に関する状態値をユーザが把握しやすい態様で表示することができる。
【００２０】
また、上記（３）、（４）の側面によれば、ユーザが自己の活動量を視覚的に把握しやすくなる。
【００２１】
また、上記（１０）の側面によれば、発電量に関する情報を、精度を落とすことなく電子時計に記憶することができる。
【図面の簡単な説明】
【００２２】
【図１】本実施形態に係る電子時計の外観の一例を示す平面図である。
【図２】本実施形態に係る表示システムの機能ブロック図である。
【図３】本実施形態の電子時計が有するＲＡＭのデータ領域について模式的に示す図である。
【図４】本実施形態の電子時計が有するＮＶＲＡＭのデータ領域について模式的に示す図である。
【図５】時計記憶部への記憶処理を説明するフローチャートである。
【図６】ＲＡＭへの記憶処理を説明するフローチャートである。
【図７】ＮＶＲＡＭへの記憶処理を説明するフローチャートである。
【図８】本実施形態における携帯端末に表示される表示画面の一例を示す図である。
【図９】本実施形態における携帯端末に表示される表示画面の一例を示す図である。
【図１０】本実施形態における携帯端末に表示される表示画面の一例を示す図である。
【図１１】本実施形態における表示処理の一例を説明するフローチャートである。
【図１２】本実施形態の変形例における携帯端末に表示される表示画面の一例を示す図である。
【図１３】本実施形態の変形例における表示処理の一例を説明するフローチャートである。
【発明を実施するための形態】
【００２３】
以下、本発明の実施の形態（以下、本実施形態という）について、図面を参照しながら説明する。
【００２４】
図１は、本実施形態に係る電子時計の外観の一例を示す平面図である。電子時計１は、いわゆるアナログ時計の外観を有し、携帯端末３０と近距離無線通信により無線接続される。近距離無線通信を行うための通信回路やアンテナは、外装（時計ケース）である胴内に納められている。なお、近距離無線通信の規格として、例えば、ＢＬＥ（Ｂｌｕｅｔｏｏｔｈ（登録商標）  Ｌｏｗ  Ｅｎｅｒｇｙ）を用いるとよい。だだし、これに限られるものではなく、近距離無線通信の規格は公知のいかなるものであってもよい。
【００２５】
電子時計１は、時刻針の時刻合わせや機能の使用に用いる竜頭２と、プッシュボタン４を有する。電子時計１は、外装（時計ケース）である胴内に文字板１０を有する。文字板１０上には、電子時計１が携帯端末３０との接続を確立する処理を行っていることを表す接続処理表示（ACT）１１と、携帯端末３０との接続が切断されたことを表すリンクロス表示（LL）１２と、携帯端末３０に電子メールの受信があったことを通知する電子メール受信表示（MAIL）１３と、携帯端末３０に電話の着信があったことを通知する電話着信表示（CALL）１４とを有する。電子時計１は、接続処理表示１１、リンクロス表示１２、電子メール受信表示１３及び電話着信表示１４のいずれかを後述する秒針２２により指し示すことで、ユーザに対しそれぞれの情報を表示する。
【００２６】
電子時計１は、第１副針１５を有し、第１副針１５により現在時刻を２４時制で示す２４時間表示１５ａを有する。また、電子時計１は、第２副針１６を有し、第２副針１６により二次電池の充電残量を「０」〜「３」の４段階で示す充電残量表示（BATTERY）１６ａと、第２副針１６により現在の曜日を「日」〜「土」で示す曜日表示（WEEK）１６ｂと、第２副針１６によりアラーム機能の設定を「ＯＮ」又は「ＯＦＦ」で示すアラーム設定表示（ALM）１６ｃと、第２副針１６により携帯端末３０との近距離無線通信による接続状態を「ＯＮ」又は「ＯＦＦ」で示す接続状態表示（BLE）１６ｄと、を有する。また、電子時計１は、第３副針１７を有し、第３副針１７で「ＴＭＥ」を指すことにより現在時刻表示機能が設定されていることを示し、第３副針１７で「ＣＨＲ」を指すことによりクロノグラフ機能が設定されていることを示し、第３副針１７で「ＡＬＭ」を指すことによりアラーム機能の設定状態にあることを示し、第３副針１７で「Ｌ−ＴＭ」を指すことによりローカル時刻表示機能が設定されていることを示す、機能設定表示１７ａを有する。
【００２７】
電子時計１は、動力源により駆動される複数の時刻針を有し、これら時刻針により時字を指し示すことにより表示時刻を表す。具体的には、電子時計１は、時刻針として、ステッピングモータにより駆動される時針２０、分針２１及び秒針２２を有する。もっとも、電子時計１は、これら以外の指針を時刻針として有してもよい。また、時刻針は時刻を指し示すためのアナログ表示部材であり、代表的なものは指針であるが、特殊なものとして、回転円板や、レトログラードなども時刻針に含まれ得る。
【００２８】
電子時計１には、文字板１０を覆うようにガラス等の透明材料により形成された風防が胴に取り付けられている。また、風防の反対側においては裏蓋が胴に取り付けられている。本明細書では、以降、電子時計１の風防が配置される方向（図１における紙面手前方向）を表側、裏蓋が配置される方向（図１における紙面奥方向）を裏側と呼ぶ。
【００２９】
電子時計１は、発電部である太陽電池２５を有する。太陽電池２５は、文字板１０の裏側に配置され、表側から入光した外光により発電がなされる。そのため、文字板１０はある程度光線を透過する材質で形成されるとよい。また、電子時計１は、太陽電池２５で発電された電力により充電される二次電池２６を有する。電子時計１は、二次電池２６に蓄えられた電力により指針等を制御し、駆動する。なお、本実施形態に係る電子時計１は、発電部として太陽電池２５を有するが、発電部の実施態様はこれに限られない。例えば、発電部は、機械式のものであってもよいし、外部から給電電圧が印加されて発電するものであってもよいし、電磁誘導により発電するものであってもよい。
【００３０】
図１に示した電子時計１のデザインは一例である。ここで示したもの以外にも、例えば、胴を丸型でなく角型にしてもよいし、竜頭２やプッシュボタン４の有無、数、配置は任意である。また、本実施形態では、指針を時針２０、分針２１、秒針２２、第１副針１５、第２副針１６及び第３副針１７の計６本としているが、これに限定されず、各種の表示を行う指針を追加又は削除してもよい。
【００３１】
図２は、本実施形態に係る表示システム１００の機能ブロック図である。本実施形態における表示システム１００は、携帯端末３０と、電子時計１とを含むシステムである。
【００３２】
携帯端末３０は、入力部３１と、表示部３２と、端末制御部３３と、端末記憶部３４と、端末通信部３５と、受信回路３６を有する。携帯端末３０は、携帯可能なコンピュータであり、例えばスマートフォンである。入力部３１は、携帯端末３０のユーザの操作を受け付けて、携帯端末３０の端末制御部３３に入力を行うものであり、例えばタッチパネルである。表示部３２は、ユーザに種々の情報を表示画面に表示するものであり、例えば液晶表示装置である。
【００３３】
端末制御部３３は、ＣＰＵ（Ｃｅｎｔｒａｌ  Ｐｒｏｃｅｓｓｉｎｇ  Ｕｎｉｔ）を含み、携帯端末３０全体を制御する。端末通信部３５は、電子時計１の時計通信部４７と近距離無線通信を行うものであり、時計通信部４７へ情報を送信する機能、及び時計通信部４７から情報を受信する機能を有する。後述するように、端末制御部３３は、端末通信部３５で受信した発電量に関する情報を端末記憶部３４に書き込む。
【００３４】
受信回路３６は、例えば、ＧＰＳ（Global Positioning System）衛星から送信される衛星信号に含まれる時刻情報や位置情報を受信する。なお、受信回路３６が受信する信号は、時刻情報や位置情報を含むものであればよく、ＧＰＳ衛星から送信される衛星信号に限られるものではない。
【００３５】
電子時計１は、太陽電池２５と、二次電池２６と、検出部としての発電量検出部４１と、時計制御部４２と、時計記憶部４４と、時計通信部４５とを含む。
【００３６】
電子時計１は、時針２０、分針２１及び秒針２２による現在時刻表示機能、第１副針１５によるクロノグラフ機能、胴に内蔵されたアラームによるアラーム機能、胴に内蔵されたバイブレータによる振動機能、時計通信部４５による近距離無線通信機能を有する。この他に、電子時計１は、バックライト機能、衛星信号の受信による測位機能、衛星信号の受信による測時機能といった機能を有してもよい。
【００３７】
発電量検出部４１は、太陽電池２５における発電量を検出する。例えば、発電量検出部４１は、５分間隔で発電量を検出するとよい。時計制御部４２は、ＣＰＵ（Ｃｅｎｔｒａｌ  Ｐｒｏｃｅｓｓｉｎｇ  Ｕｎｉｔ）を含み、電子時計１全体を制御する。
【００３８】
時計記憶部４４は、揮発性メモリであるＲＡＭ（Random Access Memory）４４ａと、不揮発性メモリであるＮＶＲＡＭ（Nonvolatile Random Access Memory）４４ｂと、を含む。時計記憶部４４には、時計制御部４２により、発電量検出部４１が検出した太陽電池２５における発電量に関する情報が順次書き込まれ、記憶される。なお、詳細については後述するが、ＲＡＭ４４ａは、１日データ領域と１時間データ領域とを含み、ＮＶＲＡＭ４４ｂは、曜日毎のデータ領域を含む。このようなデータ領域を含むことにより、時計記憶部４４は、発電量検出部４１の検出時の電子時計１の表示時刻を示す情報と関連付けて、発電量に関する情報を記憶する。
【００３９】
時計通信部４５は、携帯端末３０の端末通信部３５と近距離無線通信により無線接続を行う。時計通信部４５は、時計記憶部４４に記憶される発電量に関する情報を近距離無線通信により端末送信部３５へ送信する。
【００４０】
次に、図３、図４を参照して、時計記憶部４４の詳細について説明する。図３は、本実施形態の電子時計が有するＲＡＭのデータ領域について模式的に示す図である。図４は、本実施形態の電子時計が有するＮＶＲＡＭのデータ領域について模式的に示す図である。
【００４１】
図３に示すように、ＲＡＭ４４ａは、１日データ領域と１時間データ領域とを含む。電子時計１においては、発電量検出部４１が太陽電池２５における発電量に関する情報を５分間隔で検出する。５分間隔で検出された発電量に関する情報は、ＲＡＭ４４ａの１日データ領域と１時間データ領域のそれぞれに順次書き込まれる。なお、発電量に関する情報は、例えば、太陽電池２５における電圧値又は電流値を発電量検出部４１により検出し、検出された電圧値又は電流値に比例するポイントに変換されて、時計記憶部４４に記憶される。以下、発電量に関する情報がポイントに変換されたものを発電値と称することとする。
【００４２】
ＲＡＭ４４ａの１日データ領域には、当日データ領域（１６ｂｉｔ）と、曜日データ領域（１６ｂｉｔ）とが含まれる。図３においては、当日データ領域を「当日」で示し、曜日データ領域を「ＳＵＮ」〜「ＳＡＴ」で示している。時計制御部４２は、発電量検出部４１により５分間隔で検出された発電値を、５分間隔でＲＡＭ４４ａの当日データ領域に順次書き込んでいき、書き込まれた発電値は積算されてＲＡＭ４４ａの当日データ領域に記憶される。
【００４３】
時計制御部４２は、日曜の００時００分から２３時５９分までの間、５分間隔で検出された発電値を、５分間隔で当日データ領域に順次書き込み積算していく。そして、月曜の００時００分のタイミングで、当日データ領域に記憶される積算発電値を、日曜データ領域に書き込むと共に、当日データ領域に記憶される積算発電値を削除する。そして、月曜の００時００分から２３時５９分までの間、５分間隔で検出された発電値を、５分間隔で当日データ領域に順次書き込み積算していく。そして、火曜の００時００分のタイミングで、当日データ領域に記憶される積算発電値を、月曜データ領域に書き込むと共に、当日データ領域に記憶される積算発電値を削除する。このような処理を日曜から土曜まで１週間繰り返す。「ＳＵＮ」〜「ＳＡＴ」の全ての１日データ領域に積算発電値が記憶された後は、上記と同様の処理を行い、各１日データ領域に発電値を上書きしていくとよい。すなわち、ＲＡＭ４４ａの１日データ領域には直近の一週間分の発電値が記憶されるとよい。
【００４４】
ＲＡＭ４４ａの１時間データ領域には、当時間データ領域（１６ｂｉｔ）と、各時間データ領域（４ｂｉｔ）とが含まれる。図３においては、当時間データ領域を「当時間」で示し、各時間データ領域を「００時」〜「２３時」で示している。時計制御部４２は、発電量検出部４１により５分間隔で検出された発電値を、５分間隔でＲＡＭ４４ａの当時間データ領域にも順次書き込んでいく。書き込まれた発電値は積算されてＲＡＭ４４ａの当時間データ領域に記憶される。
【００４５】
時計制御部４２は、日曜の００時００分から００時５９分までの間、５分間隔で検出された発電値を、５分間隔で当時間データ領域に順次書き込み積算していく。そして、日曜の０１時００分のタイミングで、当時間データ領域に記憶される積算発電値を、００時データ領域に書き込むと共に、当時間データ領域に記憶される積算発電値を削除する。そして、０１時００分から０１時５９分までの間、５分間隔で検出された発電値を、５分間隔で当時間データ領域に順次記憶し積算していく。そして、０２時００分のタイミングで、当時間データ領域に記憶される積算発電値を、０１時データ領域に書き込むと共に、当時間データ領域に記憶される積算発電値を削除する。このような処理を００時〜２３時まで２４時間繰り返す。「００時」〜「２３時」の全ての１時間データ領域に積算発電値が記憶された後は、上記と同様の処理を行い、各１時間データ領域に発電値を上書きしていくとよい。すなわち、ＲＡＭ４４ａの１時間データ領域には直近の１日分の発電値が記憶されるとよい。
【００４６】
なお、本実施形態においては、ＲＡＭ４４ａの各１時間データ領域のうち、発電量検出部４１による発電値の検出時の電子時計１の表示時刻に対応する領域に記憶される。例えば、電子時計の１の表示時刻が００時３０分のタイミングで検出された発電値は、００時データ領域に記憶される。
【００４７】
なお、当時間データ領域に記憶される発電値を、各時間データ領域に書き込む際に、データ圧縮を行うとよい。図３に示す例においては、１６ｂｉｔで当時間データ領域に記憶される発電値を、４ｂｉｔに圧縮した上で各時間データ領域に書き込んでいる。これにより、電子時計１内に記憶される情報量を少なくすることができる。
【００４８】
図４に示すように、ＮＶＲＡＭ４４ｂは、日曜〜土曜までの曜日データ領域を含む。また、各曜日データ領域は、日付データ領域（８ｂｉｔ）と、１日データ領域（１６ｂｉｔ）と、１時間データ領域（４ｂｉｔ）とを含む。ここでは、日曜の曜日データ領域を例に挙げて説明する。
【００４９】
図４においては、日曜の曜日データ領域において、日付データ領域を「Month」、「Day」で示し、１日データ領域を「ＳＵＮ」で示し、１時間データ領域を「００時」〜「２３時」で示している。
【００５０】
これらＮＶＲＡＭ４４ｂの各データ領域には、ＲＡＭ４４ａに記憶される発電値が、１日に１回書き込まれ、記憶される。具体的には、ＲＡＭ４４ａに記憶される発電値が、記憶された日の次の日の００時００分にＮＶＲＡＭ４４ｂに書き込まれ、記憶される。より具体的には、ＲＡＭ４４ａの１日データ領域の「ＳＵＮ」に記憶される発電値は、月曜の００時００分になったタイミングで、ＮＶＲＡＭ４４ｂの１日データ領域の「ＳＵＮ」に書き込まれ、記憶される。また、ＲＡＭ４４ａの各１時間データ領域に記憶される発電値は、月曜の００時００分になったタイミングで、ＮＶＲＡＭ４４ｂのＳＵＮデータ領域の各１時間データ領域に書き込まれ、記憶される。また、月曜の００時００分になったタイミングで、ＮＶＲＡＭ４４ｂの日付データ領域に、電子時計１の表示時刻における月及び日に関する情報が書き込まれ、記憶される。
【００５１】
さらに、図５〜図７を参照して、本実施形態における発電値の記憶処理を説明する。図５は、時計記憶部への記憶処理を説明するフローチャートである。図６は、ＲＡＭへの記憶処理を説明するフローチャートである。図７は、ＮＶＲＡＭへの記憶処理を説明するフローチャートである。
【００５２】
図５に示すように、まず、時計制御部４２は、発電量検出部４１が検出した発電値を取得する（ステップＳ１）。そして、取得した発電値をＲＡＭ４４ａに記憶させる処理を行う（ステップＳ２、図６）。また、取得した発電値をＮＶＲＡＭ４４ｂに記憶させる処理を行う（ステップＳ３、図７）。なお、電子時計１の表示時刻の信頼性が低い場合は、ＮＶＲＡＭ４４ｂに発電値を記憶する処理を省略してもよい。電子時計１の表示時刻の信頼性が低い場合とは、ユーザが竜頭２やプッシュボタン４を操作することで表示時刻を手動で修正した場合などである。信頼性の低い表示時刻を示す情報に関連付けられる発電値をＮＶＲＡＭ４４ｂに記憶することを省略することにより、ＮＶＲＡＭ４４ｂの寿命が不要に消耗することを抑制ができる。
【００５３】
図６に示すように、ＲＡＭ４４ａへの発電値の記憶処理において、時計制御部４２は、電子時計１の表示時刻が００分でない場合（ステップＳ１１のＮＯ）、ＲＡＭ４４ａの当時間データ領域に発電量値を書き込み、記憶させる（ステップＳ１２）、また、ＲＡＭ４４ａの当日データ領域に発電値を書き込み、記憶させる（ステップＳ１３）。
【００５４】
電子時計１の表示時刻が００分である場合（ステップＳ１１のＹＥＳ）、直前の１時間である１時間データ領域に積算発電値を書き込む（ステップＳ１４）。例えば、電子時計１の表示時刻が０２時００分の場合、０１時データ領域に、当時間データ領域に記憶される積算発電値を書き込む。そして、当時間データ領域に記憶される積算発電値を削除する（ステップＳ１５）。
【００５５】
さらに、電子時計１の表示時刻が００時である場合（ステップＳ１６のＹＥＳ）、直前の曜日である曜日データ領域に積算発電値を書き込む（ステップＳ１７）。例えば、電子時計１の表示時刻が水曜の００時００分の場合、火曜データ領域に、当日データ領域に記憶される積算発電値を書き込む。そして、当日データ領域に記憶される積算発電値を削除する（ステップＳ１８）。その後、引き続き、当時間データ領域及び当時間データ領域へ発電値を書き込み、記憶させる（ステップＳ１２、Ｓ１３）。
【００５６】
図７に示すように、ＮＶＲＡＭ４４ｂへの発電値の記憶処理において、時計制御部４２は、電子時計１の表示時刻が００時００分である場合（ステップＳ２１のＹＥＳ）、ＮＶＲＡＭ４４ｂの各１時間データ領域に、ＲＡＭ４４ａの各１時間データ領域に記憶される積算発電値を書き込む（ステップＳ２２）。また、ＮＶＲＡＭ４４ｂの１日データ領域に、ＲＡＭ４４ａの曜日データ領域に記憶される積算発電値を書き込む（ステップＳ２３）。また、電子時計１の表示時刻に基づいて、直前の１日の日付（月と日にち）を日付データ領域に書き込む（ステップＳ２４）。
【００５７】
以上のように本実施形態に係る電子時計１においては、ＲＡＭ４４ａに加えてＮＶＲＡＭ４４ｂが含まれるため、記憶できるデータ容量を十分に確保することができる。そのため、発電量に関する情報を、精度を落とすことなく電子時計１内に記憶させることができる。ただし、時計記憶部４４は上述したものに限られるものではなく、表示時刻を示す情報と関連付けて発電値を記憶できるものであればよく、電子時計１は揮発性メモリ又は不揮発性メモリ等のメモリを少なくとも１つ備えていればよい。
【００５８】
なお、本実施形態においては、５分間隔で発電値を検出する例について説明したが、これに限られるものではなく、少なくとも携帯端末３０の表示部３２により表示画面に表示される発電値の分解能に対応する時間区間で検出されるとよい。後述するように本実施形態においては、表示画面に１時間単位で発電値を示す画像をプロットするため、電子時計１において最低１時間間隔で発電値を検出できればよい。
【００５９】
次に、図８を参照して、発電値の推移の表示について説明する。図８は、本実施形態における携帯端末に表示される表示画面の一例を示す図である。図８において、横軸は時間軸を示し、縦軸は発電値の大きさを示している。図８に示すように、携帯端末３０に表示される表示画面には、少なくとも、時間軸に沿って一方向に時間が進むように示される目盛り時刻と、発電値を示す画像（図８においては白丸プロット）が示されるとよい。後述する図９、図１０、図１２においても同様である。なお、目盛り時刻とは、表示画面に表示されるグラフ上において時間軸に沿って示される印であって、時刻を示す数字で示されるものであると定義する。
【００６０】
電子時計１の時計記憶部４４に記憶された発電値は、電子時計１と携帯端末３０とが近距離無線通信により無線接続された際に、携帯端末３０へと送信され、携帯端末３０の端末記憶部３４に記憶される。そして、端末記憶部３４に記憶される発電値は、携帯端末３０の表示部３２によりユーザが視認できる態様で表示画面に表示される。なお、端末記憶部３４は、時計記憶部４４の各データ領域に対応するデータ領域を含むものであるとよいが、少なくとも発電値が検出された際の表示時刻を示す情報と関連付けて発電値を記憶するものであるとよい。
【００６１】
なお、電子時計１の時計記憶部４４に記憶された情報が、携帯端末３０へと送信された後は、携帯端末３０から削除要求を行い、時計記憶部４４に記憶される情報を削除してもよい。また、電子時計１と携帯端末３０を無線接続された状態においては、５分間隔で検出された発電値は、時計記憶部４４に記憶された直後、例えば３０秒以内に、携帯端末３０へ送信されて端末記憶部３４に記憶されるとよい。これにより、リアルタイムで発電値を示す画像を表示画面に表示することが可能となる。
【００６２】
発電値は、電子時計１が太陽光にさらされている場合に最も大きくなるため、電子時計１を装着したユーザが野外にいる時間が長いほど、大きくなる傾向にある。一方、電子時計１を装着したユーザが屋内にいる時間が長い場合、発電値は小さくなる。そのため、電子時計１及び携帯端末３０のユーザは、図８に示されるような携帯端末３０に表示される表示画面を視認することにより、自己の活動量を把握することができることとなる。
【００６３】
次に、図９を参照して、地域毎の時間帯に対応するように電子時計１の表示時刻が変更された場合における、発電値の推移の表示について説明する。図９は、本実施形態における携帯端末に表示される表示画面の一例を示す図である。
【００６４】
本実施形態における電子時計１は、地域毎の時間帯（タイムゾーンとも称する）に対応するように表示時刻を変更する機能を有する。このような表示時刻の変更は、例えば、竜頭２やプッシュボタン４等の操作部をユーザが操作することにより行われてもよいし、ＧＰＳ衛星から送信される衛星信号に含まれる位置情報に基づいて行われてもよい。または、携帯端末３０が地域毎の時間帯に対応するように表示時刻を変更する機能を有し、電子時計１が携帯端末３０と近距離無線通信により無線接続された際に、電子時計１の表示時刻が携帯端末３０の表示時刻に同期されることにより、電子時計１の表示時刻の変更が行われてもよい。
【００６５】
本実施形態においては、電子時計１の表示時刻が携帯端末３０の表示時刻に同期されることにより、電子時計１の表示時刻が地域毎の時間帯に対応するように変更される場合の例について説明する。すなわち、本実施形態においては、電子時計１と携帯端末３０とを無線接続した際に、電子時計１の時計記憶部４４に記憶される発電値が携帯端末３０へ送信されて端末記憶部３４に記憶されると共に、電子時計１の表示時刻が携帯端末３０の表示時刻に同期される。
【００６６】
ここで、電子時計１の表示時刻が地域毎の時間帯に対応するように変更された場合において、時間が戻る方向に表示時刻が変更された場合、表示時刻は重複した時間を計時することとなる。この場合、同じ期間の表示時刻を示す情報と関連付けて複数の発電値が、端末記憶部３４に記憶されることとなる。
【００６７】
本実施形態においては、電子時計１の表示時刻が日本時間（ＪＳＴ）からインドシナ時間（ＩＣＴ）に変更された場合の例を説明する。協定世界時（ＵＴＣ）を基準とした場合、ＪＳＴはＵＴＣ＋９時間であり、ＩＣＴはＵＴＣ＋７時間であるため、日本時間とインドシナ時間の時差は２時間である。すなわち、日本時間を基準に表示時刻を計時する状態から、インドシナ時間を基準に表示時刻を計時する状態に変更された場合、電子時計１の表示時刻は２時間戻ることとなる。そのため、例えば、日本時間２２時の時点で、電子時計１の表示時刻がインドシナ時間に変更された場合、その後１時間経過した際に電子時計１の表示時刻は、２１時を示すこととなる。そして、電子時計１の表示時刻は、既に過去に計時した期間である２１時〜２２時を再度計時することとなる。
【００６８】
上記のような場合において、端末記憶部３４に記憶されている同じ期間の表示時刻を示す情報に関連付けられる複数の発電値を示す画像をどのように表示画面に表示するかが問題となる。例えば、携帯端末３０に表示される表示画面において、時間軸上に示される目盛り時刻を２１時（ＪＳＴ）、２２時（ＪＳＴ）、２１時（ＩＣＴ）、２２時（ＩＣＴ）の順に表示させた場合、時間軸がユーザの体感と一致せず、またユーザはタイムゾーンを意識して発電値を示す画像を見る必要があり、自己の活動量と活動した時刻の把握が困難となる。また、タイムゾーンが何度も変更された場合、表示画面において目盛り時刻が煩雑に表示されることとなってしまう。
【００６９】
そこで、本実施形態においては、地域毎の時間帯に対応するように電子時計１の表示時刻が変更された場合においても、表示画面において時間軸に沿って示される目盛り時刻を、一方向に時間が進むように表示することとした。そして、端末記憶部３４に記憶されている同じ期間（本実施形態では２１時〜２２時）の表示時刻を示す情報と関連付けられる発電値であって、表示時刻が地域毎の時間帯に対応するように変更される前後に端末記憶部３４に記憶された発電値を示す画像のうち、双方を表示画面に表示することとした。
【００７０】
なお、本実施形態においては、電子時計１はＵＴＣに対応する時刻を内部時刻として計時し、地域毎の時間帯に応じて表示時刻を指針により示す構成とした。すなわち、電子時計１が日本時間を計時する場合、内部時刻に９時間を加えた時刻が表示時刻として示されることとする。ただし、これに限られるものではなく、電子時計１が地域毎の時間帯に応じて内部時刻を計時し、タイムゾーンが変更された場合、内部時刻自体を変更する構成としても構わない。すなわち、電子時計１が日本時間を計時する場合、ＵＴＣに９時間を加えた時刻を内部時刻として計時し、その内部時刻に一致するように表示時刻を指針により示す構成としてもよい。
【００７１】
図９においては、タイムゾーンの変更前に端末記憶部３４に記憶された１群の発電値を示す画像と、タイムゾーン変更後に端末記憶部３４に記憶された１群の発電値を示す画像とをユーザが区別できる態様で表示画面にそれぞれ表示する例について示す。具体的には、電子時計１の表示時刻が日本時間を計時した際に記憶された１群の発電値を白丸プロットで表示し、インドシナ時間を計時した際に記憶された１群の発電値を黒丸プロットで表示する例について示す。
【００７２】
図９に示す例においては、表示画面において時間軸に沿って示される目盛り時刻を、一方向に時間が進むように表示するため、ユーザはタイムゾーンが変更されたか否かを意識することなく、発電値の推移を容易に把握することができる。すなわち、自己の活動量とその活動時刻を容易に把握することができる。
【００７３】
なお、表示画面の表示態様は、図９に示したものに限られるものではなく、タイムゾーンの変更前後のいずれのタイミングで記憶された発電値であるかを区別できる態様で表示するものであれば、他の表示態様でも構わない。以下、他の表示態様の例について説明する。
【００７４】
図１０においては、電子時計１の表示時刻が日本時間を計時した際に検出された１群の発電値を白丸プロットで示し、それらを実線で繋いだ折れ線グラフで表示する例を示す。また、電子時計１の表示時刻がインドシナ時間を計時した際に検出された１群の発電値を白丸プロットで示し、それらを破線で繋いだ折れ線グラフで表示する例を示す。
【００７５】
また、タイムゾーン変更前後に記憶された１群の発電値を示す画像を結ぶ線グラフのうち、一方を強調して表示画面に表示することとしてもよい。強調の態様としては、例えば、濃く表示する、カラー表示する等であるとよい。例えば、タイムゾーン変更後に記憶された１群の発電値を示す画像のみを表示画面に濃い態様で表示するとよい。その場合、例えば、タイムゾーン変更前に記憶された１群の発電値を示す画像を表示画面に薄い態様で表示するとよい。さらに、強調して表示する１群の発電値と、強調して表示しない１群の発電値とを切り替え可能な構成としてもよい。すなわち、ユーザが携帯端末３０の入力部３１（例えば、タッチパネル）を操作することにより、タイムゾーン変更前に記憶された１群の発電値を示す画像を強調して表示画面に表示し、タイムゾーン変更後に記憶された１群の発電値を示す画像を強調せず表示画面に表示するように切り替え可能な構成としてもよい。
【００７６】
さらに、図１１を参照して、本実施形態における端末制御部３３による表示処理について説明する。図１１は、本実施形態における表示処理の一例を説明するフローチャートである。
【００７７】
まず、端末制御部３３は、電子時計１の現在の表示時刻（当時間）をＴに設定する（ステップＳ３１）。すなわち、例えば、電子時計１の表示時刻が２３時３０分を示す場合、Ｔ＝２３に設定する。さらに、端末制御部３３は、２４時間以内にタイムゾーンの変更があったか否かを判定する（ステップＳ３２）。なお、２４時間以内にタイムゾーンの変更があったか否かを判定するために、例えば、携帯端末３３はタイムゾーン変更後からの経過時間をカウントするカウンタを備えるとよい。
【００７８】
２４時間以内にタイムゾーンの変更がない場合（ステップＳ３２のＮＯ）、端末制御部３３は、端末記憶部３４のＴ時間データ領域から発電値を読み出す処理を行う（ステップＳ３３）。そして、目盛り時刻に対応させて、発電値を示す画像を表示画面に表示させる（ステップＳ３４）。２４時間分の時間データ領域から発電値の読み出し処理を完了していない場合（ステップＳ３５のＮＯ）、端末制御部３３は、Ｔ＝Ｔ−１に設定した上で（ステップＳ３６）、ステップＳ３３〜Ｓ３４の処理を繰り返す。すなわち、例えば、電子時計１の表示時刻が２３時３０分を示す場合、２３時の時間データ領域に記憶される発電値の読み出し、及びその発電値を示す画像の表示を行った後、２２時の時間データ領域に記憶される発電値の読み出し、及びその発電値を示す画像の表示を行う。このような処理を２３時、２２時、・・・１時、０時と繰り返し、２４時間分全ての時間データ領域に記憶される発電値の読み出し、及びその発電値を示す画像の表示が完了した時点で（ステップＳ３５のＹＥＳ）、表示処理を終了する。
【００７９】
一方、２４時間以内にタイムゾーンの変更があった場合（ステップＳ３２のＹＥＳ）、端末制御部３３は、端末記憶部３４のＴ時間データ領域から発電値を読み出す処理を行う（ステップＳ３７）。さらに、端末制御部３３は、Ｔ時間データ領域にタイムゾーン変更後に端末記憶部３４に記憶された発電値があるか否か、及びタイムゾーン変更前に端末記憶部３４に記憶された発電値があるか否かを判定する。
【００８０】
タイムゾーン変更後に記憶された発電値がない場合（ステップＳ３８のＮＯ）、目盛り時刻に対応させて、タイムゾーン変更前に記憶された発電値を示す画像を表示画面に表示する（ステップＳ３９）。タイムゾーン変更後に記憶された発電値がある場合であって（ステップＳ３８のＹＥＳ）、タイムゾーン変更前に記憶された発電値がない場合（ステップＳ４０のＮＯ）、目盛り時刻に対応させて、タイムゾーン変更後に記憶された発電値を示す画像を表示画面に表示する（ステップＳ４１）。また、タイムゾーン変更後に記憶された発電値がある場合であって（ステップＳ３８のＹＥＳ）、タイムゾーン変更前に記憶された発電値がある場合（ステップＳ４０のＹＥＳ）、目盛り時刻に対応させて、タイムゾーン変更前後に記憶された発電値を示す画像の双方を表示画面に表示する（ステップＳ４２）。
【００８１】
なお、ステップＳ３９の処理は、図９のグラフにおける１９時、２０時に対応する発電値を示す画像を表示する場合の処理に該当する。また、ステップＳ４１の処理は、図９のグラフにおける２３時、２４時に対応する発電値を示す画像を表示する場合の処理に該当する。また、ステップＳ４２の処理は、図９のグラフにおける２１時、２２時に対応する発電値を示す画像を表示する場合の処理に該当する。
【００８２】
その後、２４時間分の時間データ領域から発電値の読み出し処理を完了していない場合（ステップＳ４３のＮＯ）、端末制御部３３は、Ｔ＝Ｔ−１に設定した上で（ステップＳ４４）、ステップＳ３７〜Ｓ４２の処理を繰り返す。すなわち、例えば、電子時計１の表示時刻が２３時３０分を示す場合、２３時の時間データ領域に記憶される発電値の読み出し、及びその発電値を示す画像の表示を行った後、２２時の時間データ領域に記憶される発電値の読み出し、及びその発電値を示す画像の表示を行う。このような処理を２３時、２２時、・・・１時、０時と繰り返し、２４時間分全ての時間データ領域に記憶される発電値の読み出し、及びその発電値を示す画像の表示が完了した時点で（ステップＳ４３のＹＥＳ）、表示処理を終了する。
【００８３】
次に、図１２、図１３を参照して、本実施形態の変形例について説明する。図１２は、本実施形態の変形例における携帯端末に表示される表示画面の一例を示す図である。本実施形態の変形例においては、端末記憶部３４に記憶されている同じ期間の表示時刻を示す情報と関連付けられる状態値であって、表示時刻が地域毎の時間帯に対応するように変更される前後に記憶された状態値を示す画像のうち、大きい方の発電値を示す画像のみを表示画面に表示する。
【００８４】
図１２に示す例においては、タイムゾーン及びその変更タイミングと、端末記憶部３４に記憶される発電値は、図９、図１０に示す例と同じである。すなわち、図１２に示す例においても、２１時から２２時の期間で重複して表示時刻が計時されている。また、図９、図１０で示したように、２１時から２２時の期間の表示時刻を示す情報と関連付けて記憶される発電値は、表示時刻が日本時間を計時する際に記憶された発電値よりも、表示時刻がインドシナ時間を計時する際に記憶された際の発電値の方が大きい。そのため、本変形例においては、表示時刻がインドシナ時間を計時する際に記憶された発電値を示す画像のみを、２１時から２２時の期間に記憶された発電値として表示画面に表示することとした。
【００８５】
このように、同じ期間の表示時刻に関連付けて記憶される発電値のうち、大きい方の発電値を示す画像のみを表示画面に表示することで、ユーザは自己の活動量の変化を視覚的に把握しやすくなる。
【００８６】
図１２においては、同じ期間の表示時刻の前後の表示時刻（２１時より前の時刻と、２２時より後の時刻）を示す情報と関連付けられる発電値を示すプロットと、同じ期間の表示時刻（２１時〜２２時）を示す情報と関連付けられる発電値を示すプロットとを、結んだ線グラフを表示画面に表示することとした。このように一の線グラフを表示画面に表示することにより、ユーザは自己の活動量を視覚的により把握し易くなる。
【００８７】
なお、同じ期間の表示時刻を示す情報と関連付けて記憶される発電値のうち大きい方の発電値を示す画像のみを表示画面に表示するものに限られるものではなく、小さい方の画像のみを表示したり、重複する表示時刻を示す情報と関連付けて記憶される複数の発電値の平均値を表示したりしてもよい。また、同じ期間の表示時刻を示す情報と関連付けて記憶される発電値のうち、その値の大きさに関わらず、タイムゾーン変更後の表示時刻を示す情報に関連付けて記憶される発電値を示す画像のみを表示することとしてもよいし、タイムゾーン変更前の表示時刻を示す情報に関連付けて記憶される発電値を示す画像のみを表示することとしてもよい。
【００８８】
さらに、図１３を参照して、本実施形態の変形例における表示処理について説明する。図１３は、本実施形態の変形例における表示処理の一例を説明するフローチャートである。なお、図１３は、図１１で説明したフローチャートのステップＳ４２に対応する箇所のみ異なり、他のステップについては図１１と同様のフローチャートである。したがって、図１１と同様の処理についての説明は省略する。
【００８９】
図１３に示すように、本変形例においては、タイムゾーン変更後に記憶された発電値がある場合であって（ステップＳ３８のＹＥＳ）、タイムゾーン変更前に記憶された発電値がある場合（ステップＳ４０のＹＥＳ）、目盛り時刻に対応させて、タイムゾーン変更前後に記憶された発電値のうち大きい方の発電値を示す画像を表示画面に表示する（ステップＳ５２）。ステップＳ５２の処理は、図１２のグラフにおける２１時、２２時に対応する発電値を示す画像を表示する場合の処理に該当する。
【００９０】
なお、図８〜図１０、図１２においては、時間軸に沿った目盛り時刻として１９時〜２４時を表示したが、このように１時間間隔で目盛り時刻を表示するものに限られるわけではない。すなわち、目盛り時刻は、例えば、０時、６時、１２時、１８時等、６時間間隔で表示画面に表示されるものであってもよい。この場合であっても、発電値は１時間間隔でプロットされるとよい。また、発電値は１時間間隔でプロットされるものに限られるものではなく、数分間隔でプロットされてもよい。
【００９１】
なお、図８等で示したグラフは一例であって、その表示形式等は図示したものに限られるものではない。すなわち、発電値の推移の表示は、折れ線グラフ形式に限られるものではなく、他の形式、例えば棒グラフ形式であっても構わない。また、図８等で図示したように、横軸が時間で縦軸が発電値であるものに限られるものではなく、横軸が発電値で縦軸が時間であっても構わない。
【００９２】
なお、本実施形態及びその変形例においては、タイムゾーンが１回変更された場合の例について説明したが、これに限られるものではなく、タイムゾーンが複数回変更された場合であっても、同じ期間の表示時刻を示す情報に関連付けて記憶される発電値を示す画像のうち、少なくともいずれか一方を表示することとするとよい。例えば、同じ表示時刻を３回計時した場合において、その同じ表示時刻を示す情報に関連付けられる３つの発電値のうち、最も大きい発電値のみを表示することとしてもよいし、３つの発電値全てを表示することとしてもよい。また、３つの発電値のうち最も小さい発電値のみを表示することとしてもよいし、３つの発電値の平均値を表示することとしてもよい。
【００９３】
なお、本実施形態及びその変形例においては、太陽電池２５における発電値を検出し、表示画面に表示させる例について説明したが、検出する情報は発電値に限られず、電子時計１の状態に関する状態値であればよい。例えば、電子時計１の内部温度や、内部気圧などを電子時計１の状態値として検出し、その状態値を表示部３２に表示させるものであっても構わない。その場合、電子時計１は、検出部として温度検出センサや気圧センサ等を備えるとよい。
【００９４】
なお、本実施形態及びその変形例においては、電子時計１と近距離無線通信により無線接続される表示装置として携帯端末３０を例に示したが、これに限られるものではなく、据え置き型のコンピュータであっても構わない。
【００９５】
また、本実施形態及びその変形例においては、表示装置である携帯端末３０と、その外部の電子時計１とが近距離無線通信により無線接続される例について説明したが、これに限られるものではなく、電子時計１自体が単独で表示装置としての機能を備えてもよい。すなわち、電子時計１が、自己の状態を表す状態値を表示する表示部を有する構成であってもよい。この場合、表示装置としての電子時計１は、携帯端末３０と無線接続される構成である必要はない。
【００９６】
また、図３、図４に示した時計記憶部４４においては、同じ表示時刻を計時した場合においては、その期間の表示時刻を示す情報と関連付けて発電値を、後から書き込まれる発電値を上書きして記憶する構成となるが、これに限られるものではない。特に電子時計１自体が単独で表示装置として機能する構成の場合、時計記憶部４４が同じ期間の表示時刻を示す情報と関連付けられる発電値の双方を記憶可能とするとよい。その場合、電子時計１内のメモリの容量が大きくなってしまうが、携帯端末３０と無線接続する構成でなくても、ユーザが把握しやすい態様で発電値を表示するという効果を得ることができる。
【００９７】
また、本実施形態及びその変形例においては、時針２０、分針２１、秒針２２によって、１の表示時刻が電子時計１の文字板１０上に示される例について説明したがこれに限られるものではない。すなわち、電子時計１の文字板１０上に、複数の表示時刻が同時に示される構成であってもよい。例えば、電子時計１が、サブダイヤルを有し、そのサブダイヤルにおいて、時針２０、分針２１、秒針２２により示される表示時刻（以下、第１表示時刻という）と異なるタイムゾーンの表示時刻（以下、第２表示時刻という）が示される構成であってもよい。このような構成を採用する場合においては、常に第１表示時刻を示す情報と関連付けて発電値を記憶することとしてもよいし、ユーザが選択することにより、第１表示時刻又は第２表示時刻を示す情報のいずれか一の情報と関連付けて発電値を記憶することとしてもよい。なお、第１表示時刻又は第２表示時刻を示す情報のうちいずれの情報と関連付けて発電値を記憶するかの選択は、電子時計１の竜頭２やプッシュボタン等の操作部をユーザが操作することにより行われてもよいし、携帯端末３０の入力部３１をユーザが操作することにより行われてもよい。
【００９８】
また、電子時計１が、複数の表示時刻を同時に計時し、時刻モードが切り替えられることにより、時針２０、分針２１、秒針２２により示される表示時刻を切り替え可能な構成としてもよい。なお、時刻モードの切り替えは、電子時計１の竜頭２やプッシュボタン等の操作部をユーザが操作することにより行われてもよいし、携帯端末３０の入力部３１をユーザが操作することにより行われてもよい。例えば、第１モードでは時針２０、分針２１、秒針２２により日本時間を示し、第２モードでは時針２０、分針２１、秒針２２によりニューヨーク時間を示すような構成とするとよい。この場合、いずれの時刻モードが選択されているかに関わらず常に第１モードにおいて表示される表示時刻を示す情報と関連付けて発電値を記憶することとしてもよいし、現在選択されている時刻モードにおいて表示される表示時刻を示す情報と関連付けて発電値を記憶することとしたもよい。または、
いずれの時刻モードが選択されているかに関わらず、第１モード又は第２モードにおいて表示される表示時刻のうち、ユーザが選択したいずれかの表示時刻を示す情報と関連付けて発電値を記憶することとしてもよい。
【００９９】
なお、携帯端末３０又は電子時計１が受信する信号はＧＰＳ衛星から送信されるものに限られず、例えば、ＱＺＳＳ（Quasi-Zenith Satellite System、準天頂衛星システム：みちびき）やＧＬＯＮＡＳＳ（Global Navigation Satellite System）が送信する信号であってもよく、これら複数の衛星に対応した受信を可能な構成としてもよい。また、これら衛星のうち軌道上に配置される数が多い衛星を選択し、選択した衛星から送信される信号を受信する構成とすることで、受信の成功率の向上が期待できる。また、携帯端末３０又は電子時計１が受信する信号は衛星信号に限られるものではなく、例えば、電波送信所から送信される信号であってもよい。
【０１００】
以上、本発明に係る実施形態及びその変形例について説明したが、この実施形態に示した具体的な構成は一例として示したものであり、本発明の技術的範囲をこれに限定することは意図されていない。当業者は、これら開示された実施形態を適宜変形してもよく、本明細書にて開示される発明の技術的範囲は、そのようになされた変形をも含むものと理解すべきである。
【０１０１】
１  電子時計、１０  文字板、１１  接続処理表示、１２  リンクロス表示、１３  電子メール受信表示、１４  電話着信表示、１５  第１副針、１６  第２副針、１７  第３副針、２０  時針、２１  分針、２２  秒針、２５  太陽電池、２６  二次電池、３０  携帯端末、３１  入力部、３２  表示部、３３端末制御部、３４  端末記憶部、３５  端末通信部、３６  受信回路、４１  発電量検出部、４２  時計制御部、４４  時計記憶部、４４ａ  ＲＡＭ、４４ｂ  ＮＶＲＡＭ、４５  時計通信部、１００  表示システム。
【図１】
2019144064.tif 000003
【図２】
2019144064.tif 000004
【図３】
2019144064.tif 000005
【図４】
2019144064.tif 000006
【図５】
2019144064.tif 000007
【図６】
2019144064.tif 000008
【図７】
2019144064.tif 000009
【図８】
2019144064.tif 000010
【図９】
2019144064.tif 000011
【図１０】
2019144064.tif 000012
【図１１】
2019144064.tif 000013
【図１２】
2019144064.tif 000014
【図１３】
2019144064.tif 000015